【事件の表示】
　特許第３２２３６５２号「日本語入力手段を有する装置」の請求項１に係る特許に対する特許異議の申立てについて、次のとおり決定する。
【結　論】
　訂正を認める。
　本件特許異議の申立てを却下する。
【理　由】
【１】手続の経緯
　本件特許第３２２３６５２号「日本語入力手段を有する装置」の発明は、平成５年６月２８日に特許出願されたものであって、平成１３年８月２４日にその特許（請求項の数９）について設定登録がなされ、平成１３年１０月２９日に特許公報が発行され、その後その特許（請求項１に係る発明）について平成１４年４月３０日に鈴木正和より特許異議の申立てがなされ、その請求項１について平成１４年７月８日付けで取消理由通知がなされ、その指定期間内である平成１４年９月１７日に訂正請求がなされたものである。
【２】訂正の適否について
（１）訂正の要旨
　訂正請求書により訂正する訂正事項は、特許請求の範囲の減縮（請求項１及び請求項３の減縮）及び明りようでない記載の釈明を目的とするものであって、その訂正内容は、以下のとおりである。
(1-1)訂正事項１
　特許第３２２３６５２号明細書における特許請求の範囲の項の請求項１について、この請求項１（及び２）を引用するものであった請求項３についての構成を付加して引用形式を改めて新たな請求項１とするものであって、次のとおり訂正する。（すなわち、請求項１が削除され、該請求項１を引用していた請求項３の一部が独立形式に改められたものである。）
『請求項１の「続いて次の仮名文字の入力が可能となるように構成されてなることを特徴とする日本語入力手段を有する装置。」を「続いて次の仮名文字の入力が可能となるように構成され
、さらに、所望の言葉が仮名文字で表示されたとき漢字変換キーを押下すると該仮名文字表示に対応する候補漢字が前記表示画面に表示されるように
(1-2)訂正事項２
　前記訂正事項１に伴い、訂正前の請求項３の記載の明りょうでない記載を釈明するため、次のとおり訂正する。（すなわち、請求項１の削除により、請求項１及び２を引用する訂正前の請求項３を、請求項２のみを引用するようにしたものである。）
『請求項３の「構成されてなることを特徴とする請求項１又は２記載の日本語入力手段を有する装置。」を「構成されてなることを特徴とする
請求項２
(1-3)訂正事項３
　訂正事項１に伴い、明細書の発明の詳細な説明の明りょうでない記載を釈明するため、次のとおり訂正する。
『本明細書の段落【0007】の「構成されることによって達成される。」を「構成され
、さらに、所望の言葉が仮名文字で表示されたとき漢字変換キーを押下すると該仮名文字表示に対応する候補漢字が前記表示画面に表示される
（２）判断
＜訂正の目的の適否、新規事項の有無及び特許請求の範囲の拡張・変更の存否についての判断＞
(2-1)訂正の目的等
　本件訂正の要旨は、上記訂正事項１乃至３のとおりであって、その訂正事項１の訂正内容は、異議申立てに係る特許請求の範囲の請求項１について、この請求項１（及び２）を引用するものであった請求項３についての構成を請求項１の構成に付加して新たな請求項１とし、訂正事項２及び訂正事項３の訂正内容は、訂正事項１に伴い引用形式である請求項３及び発明の詳細な説明について明りょうでない記載の釈明を行うことを目的とするものである。
(2-2)検討
　以下、各訂正事項について検討する。
(i)訂正事項１及び訂正事項２は、異議申立てに係る請求項１に関して、請求項１を引用する記載形式としていた請求項３における構成の全てを請求項１に付加して新たな請求項１とすることで実質的に訂正前の請求項１を削除するとともに、これ伴って訂正前の請求項３において引用していた請求項１を当該請求項３から削除するものであって、特許請求の範囲の請求項の記載形式に係わる明りょうでない記載の釈明にあたるものである。
(ii)訂正事項３は、訂正事項１及び訂正事項２による訂正に伴い、発明の詳細な説明の欄が不明りょうとなる記載について、その明りょうでない記載の釈明を行うものである。
(iii)したがって、訂正事項１乃至３に係る訂正は、いずれも異議申立てに係る特許請求の範囲の請求項１の実質的な削除に伴う明りょうでない記載の釈明を目的とするものであり、新規事項を追加するものではなく、また請求項を追加するなど実質的に特許請求の範囲を拡張し又は変更するものとも認められない。
（３）まとめ
　以上のとおりであって、上記訂正は、特許法第１２０条の４第３項において準用する第１２６条第２項及び第３項の規定に適合するものと認められる。
【３】特許異議申立について
(3-1)異議申立ての理由の概要
  異議申立人鈴木正和は、甲第１号証（特願平4-182181号（特開平6-28086号[平成4年7月9日出願、平成6年2月4日出願公開]）を提出して、本件特許請求の範囲の請求項１に係る発明は「甲第１号証に係わる特許出願の願書に最初に添付された明細書又は図面に記載された発明と同一であり、出願人又は発明者も同一でないから、特許法第２９条の２の規定に違反して特許されたものであり、よって、本件特許は、同法第１１３条第２号の規定によって取り消しを免れ得ないものである」旨、主張している。
(3-2)特許異議申立てについての判断
　異議申立人鈴木正和が異議申立において取消しを求めた特許第３２２３６５２号の特許査定時の請求項１に係る発明についての特許は、訂正請求がなされ、前記「【２】訂正の適否について」において検討したように当該訂正が認められた結果削除されたものとなったので、本件特許異議の申立ての対象は存在しないものとなった。
(3-3)まとめ
　以上のとおり、本件特許異議の申立ては不適法な申立てであって、その補正をすることができないものである。
【４】むすび
　以上のとおりであるから、異議申立人鈴木正和による特許異議の申立ては不適法な申立てであって、その補正をすることができないものであるから、特許法第１２０条の６第１項で準用する同法第１３５条の規定によって却下すべきものである。
　よって、結論のとおり決定する。
【異議決定日】
平成１４年１０月１５日（２００２．１０．１５）
【訂正の要旨】
訂正の要旨
　特許請求の範囲の減縮及び明りょうでない記載の釈明を目的として、明細書の特許請求の範囲及び発明の詳細な説明を、以下（添付の訂正明細書に示した下線部）のとおりに訂正する。
（１）訂正事項１
　請求項１の「続いて次の仮名文字の入力が可能となるように構成されてなることを特徴とする日本語入力手段を有する装置。」を「続いて次の仮名文字の入力が可能となるように構成され、さらに、所望の言葉が仮名文字で表示されたとき漢字変換キーを押下すると該仮名文字表示に対応する候補漢字が前記表示画面に表示されるように構成されてなることを特徴とする日本語入力手段を有する装置。」に訂正する。
（２）訂正事項２
　請求項３の「構成されてなることを特徴とする請求項１又は２記載の日本語入力手段を有する装置。」を「構成されてなることを特徴とする請求項２記載の日本語入力手段を有する装置。」に訂正する。
（３）訂正事項３
　本明細書の段落【０００７】の「構成されることによって達成される。」を「構成され、さらに、所望の言葉が仮名文字で表示されたとき漢字変換キーを押下すると該仮名文字表示に対応する候補漢字が前記表示画面に表示されることによって達成される。」に訂正する。
（５４）【発明の名称】
日本語入力手段を有する装置
（５７）【特許請求の範囲】
　【請求項１】　日本語入力手段を有する装置であって、５０音図各行のあ段の仮名文字が表記された操作キーと表示画面とを備えており、同じ操作キーを続いて押下すると押下する毎に当該操作キーに表記された行の各段の仮名文字が前記表示画面に巡回表示され、所望の仮名文字が表示されたとき続いて異なる行の操作キーを押下すると前記所望の仮名文字の入力が確定され、続いて次の仮名文字の入力が可能となるように構成され
、さらに、所望の言葉が仮名文字で表示されたとき漢字変換キーを押下すると該仮名文字表示に対応する候補漢字が前記表示画面に表示されるように
　【請求項２】　日本語入力手段を有する装置であって、５０音図各行のあ段の仮名文字が表記された複数の操作キーと、十字キーと、表示画面とを備えており、前記十字キーは前記表示画面に表示されるカーソルを移動するカーソル移動指示機能を有し、前記複数の操作キーのそれぞれは、同じ操作キーを続いて押下すると押下する毎に当該操作キーに表記された行の各段の仮名文字が前記表示画面に巡回表示され、所望の仮名文字が表示されたときに続いて異なる行の操作キーを押下すると前記所望の仮名文字の入力が確定され、続いて次の仮名文字の入力が可能となるように構成されてなることを特徴とする日本語入力手段を有する装置。
　【請求項３】　前記装置はさらに、所望の言葉が仮名文字で表示されたとき漢字変換キーを押下すると該仮名文字表示に対応する候補漢字が前記表示画面に表示されるように構成されてなることを特徴とする
請求項２
　【請求項４】　表示画面を見ながら日本語を入力する入力手段を有する装置であって、前記表示画面上に表示されたカーソルの移動指示をする十字キーと、５０音図の行に対応して設けられた複数の操作キーとを備えており、前記操作キーの内の一つを連続して押下すると押下する毎にそのキーに対応付けられた行の仮名が前記表示画面に巡回表示され、所望の仮名文字が表示されたときに続いて前記押下したキーとは異なる行に対応した操作キーを押下すると、前記所望の仮名文字が確定されると共に前記異なる行に対応した仮名文字の入力が可能となるように構成されてなることを特徴とする日本語入力手段を有する装置。
　【請求項５】　前記十字キーが前記表示画面上に表示されたメニュー画面から実行したい機能を選択するために用いられることを特徴とする請求項４に記載の日本語入力手段を有する装置。
　【請求項６】　前記５０音図各行に対応して設けられた複数のキーの内、促音の大文字表記の仮名文字が有る行に対応するキーを連続して押下した場合に、前記表示部に当該促音を含む巡回表示がされることを特徴とする請求項４又は５に記載の日本語入力手段を有する装置。
　【請求項７】　前記十字キーに代えてマイクロトラックボールを設けたことを特徴とする請求項４乃至６のいずれかに記載の日本語入力手段を有する装置。
　【請求項８】　表示画面を見ながら日本語を入力する入力手段を有する装置であって、前記表示画面上に表示されたカーソルの移動指示をする十字キーと、５０音図の行に対応して設けられた複数の操作キーと、前記操作キーの内の一つを連続して押下した場合に前記表示画面に巡回表示される前記操作キーに割り当てられた行に対応する文字を所望の文字で仮名確定する仮名仮確定キーとを有し、前記操作キーとは異なる行に対応した操作キーの押下に続いて押下すると前記仮名確定キーを押し下げすることなしに前記所望の文字が仮名確定されるように構成されており、且つ、前記仮名確定によって決定された所望の文を同音語の漢字に変換する変換キーと、該変換キーの押下によって前記表示画面に表示された前記漢字を確定する確定キーとを有することを特徴とする日本語入力手段を有する装置。
　【請求項９】　前記表示画面に表示された仮名が確定待ちの状態の場合に濁音に変換する濁音変換キーをさらに有し、前記濁音変換キーを前記漢字を確定する確定キーとして用いることを特徴とする請求項８に記載の日本語入力手段を有する装置。
【発明の詳細な説明】
　【０００１】
　【産業上の利用分野】
　本発明は、少なくとも日本語を入力するための操作キーと、表示装置上に表示されたカーソルの移動指示をするカーソル移動指示手段とを有する日本語入力手段を有する装置に関する。
　【０００２】
　【従来の技術】
　日本語ワープロ（ワードプロセッサー）など日本語を扱う装置の入力装置としては、キーボードタイプのものが一般的であり、キーボードからのキー操作により“ひらがな入力”，“ローマ字入力”又は“カタカナ入力”の機能を用いて日本語文章を入力するようになっている。そして、入力された日本語は漢字かな交じり文に変換されて表示部に表示され、操作者が文を確認後、キー操作により確定するようになっている。図３（Ａ）は、一般的な日本語ワープロのキーボードの一例を示す図であり、“ひらがな”入力用の操作キーとして、五十音図の中の重複する音を除く各音のキーと撥音“ん”のキーとから成る４６個のキーが、キーボード１上に少なくとも配置されている。
　【０００３】
　また、“ローマ字入力”としては、“Ａ〜Ｚ”の２６個のキーが配置されており、その他日本語入力及び入力文字の訂正をする上での最低限必要なキーとして、「変換」キー，「スペース」キー，「改行」キー，「濁音」キー，「半濁音」キー，「句点」キー，「読点」キー，「削除」キーが配置されている。一般的な日本語ワープロでは、日本語を入力する際、操作者はこれら多数の操作キーを用いて入力する必要がある。
　【０００４】
　また、ゲーム機のように、入力装置の操作部に文字キーが無い機器においては、画面上にひらがな等を表示し、表示されたものの中から該当のものを入力装置の操作で選択させる方法で単語などの入力を行なっている。例えば、ひらがなの入力は、ひらがなを五十音順に並べて表示部に表示し、操作者が図３（Ｂ）に示すようなコントロールパッド２の十字キー２Ａなどを用いてカーソルを移動させ、表示されたひらがなの一覧の中から該当のものを選択指示することによって入力するようになっている。また、漢字の入力は、例えば上記選択指示によって１字ずつ音読み又は訓読みで漢字の読みを入力し、表示された漢字候補の中から該当の漢字を選択指示するか、或いは漢字一覧の中から該当の漢字を選択指示することによって入力するようになっている。
　【０００５】
　【発明が解決しようとする課題】
　しかしながら上述のような日本語入力方法では、日本語ワープロにおいては、操作キーの数が多く配置も特殊なため、操作に慣れるのが大変であり、熟練者でないと入力操作に時間がかかってしまうという問題があった。また、各種の機能をキーで選択できるように同一キーに多重に割当てているため、より操作を困難にしていた。一方、ゲーム機のような画面上での漢字選択による日本語入力方法では、操作キーの数は少ないという利点はあるが、ひらがなや漢字の選択指示操作が大変で煩わしく入力時間が非常にかかるため、日本語文章の入力方法としては実用的な方法ではないという問題があった。
　【０００６】
　本発明は上記の問題に鑑みて成されたものであり、本発明の目的は、操作キーの数の減少化を図ると共に、誰しもが簡単かつ効率良く日本語入力ができる日本語入力手段を有する装置を提供することにある。
　【０００７】
　【課題を解決するための手段】
　本発明は、日本語入力手段を有する装置に関するものであり、本発明の上記目的は、５０音図各行のあ段の仮名文字が表記された操作キーと表示画面とを備えており、同じ操作キーを続いて押下すると押下する毎に当該操作キーに表記された行の各段の仮名文字が前記表示画面に巡回表示され、所望の仮名文字が表示されたとき続いて異なる行の操作キーを押下すると前記所望の仮名文字の入力が確定され、続いて次の仮名文字の入力が可能となるように構成され、
さらに、所望の言葉が仮名文字で表示されたとき漢字変換キーを押下すると該仮名文字表示に対応する候補漢字が前記表示画面に表示される
　【０００８】
　【作用】
　本発明にあっては、５０音を入力するための操作キーの構成が、５０音図のカ行からワ行までのア段の子音をそれぞれ示す各子音キーと、母音を示す各母音キーとで構成されているので、操作キーの数が少なくなり操作性が向上すると共に、入力装置の小型化を図ることができる。また、各子音キー及び各母音キーは、それぞれ５０音図の行順及び段順に配列されているので、誰しもが容易に５０音を入力できるようになる。さらに、カーソル移動指示手段としてトラックボールを用いているので、カーソルの移動方向及び移動速度の指示が円滑に行なえるようになる。また、子音キーが押下される毎にその子音キーに対応した行の仮名が表示画面に順次巡回表示されるようにしているので、キーに存在しない仮名も表示画面を見ながら容易に選択して入力することができる。
　【０００９】
　【実施例】
　以下、図面に基づいて本発明の実施例を詳細に説明する。図１は、本発明の日本語入力装置における操作部の構成の第１の例を示す平面図であり、操作部１０の構成は、５０音を入力するための５０音入力部１１と、句読点，空白の入力するための符号入力部１２（１２ａ，１２ｂ）と、５０音入力部１１によって入力された入力文字の濁音文字，半濁音文字への変換，入力された日本語の漢字変換などの各指示をするための指示部１３（１３ａ〜１３ｆ）と、表示装置上に表示されたカーソルの移動指示をするためのカーソル移動指示手段１４（同図の例では、マイクロトラックボール）とから構成される。
　【００１０】
　そして、５０音入力部１１は、５０音図のカ行からワ行までのア段の子音をそれぞれ示す各「子音」キー１１ａ（同図、「Ｋ」〜「Ｗ」キー）と、母音を示す各「母音」キー１１ｂ（同図、「Ａ」〜「Ｏ」キー）とから構成され、同図に示すように、それぞれが５０音図の行順及び段順に配列されており、少ない操作キーで誰しもが簡単に５０音の入力ができる構成となっている。また、符号入力部１２は、空白の入力を指示する「ＳＰＡＣＥ　（スペース）」キー１２ａ及び句読点の入力を指示する「ＰＤ　（ピリオド）」キー１２ｂで構成され、指示部１３は、入力された日本語の漢字への変換を指示する「変換」キー１３ａ，変換された漢字を確定あるいは改行を指示する「ＲＥＴＵＲＮ（確定／改行）」キー１３ｂ，入力文字の削除を指示する「ＤＥＬ　（削除）」キー１３ｃ，入力された文字の濁音，半濁音への変換を指示あるいは特殊機能のメニュー表示を指示する「特／濁（特殊／濁音）」キー１３ｄで構成されている。
　【００１１】
　また、カーソル移動指示手段１４はマイクロトラックボールを用いた例を示している。なお、同図の例では、「ＳＰＡＣＥ　（スペース）」キー１２ａ，１３ｅが２箇所に設けられ、「ＢＳ（バックスペース）」キー１３ｆが設けられた例を示しているが、「ＳＰＡＣＥ」キー１３ｅ，「ＢＳ」キー１３ｆは、操作しやすいように設けられた“オプションのキー”であり、他の用途に用いても良い。
　【００１２】
　このような構成において、日本語入力操作の第１の例を入力形態別に説明する。▲１▼清音の入力は、「子音」キー１１ａと「母音」キー１１ｂとの音素での組み合わせによるローマ字入力方式で行なう。例えば、“あ行”の入力は「母音」キー１１ａの押下、“か行〜わ行”の入力は「子音」キー１１ａと「母音」キー１１ｂの押下、撥音“ん”の入力は“ＮＮ”、あるいは“Ｎ”と「子音」キー１１ａの押下により行なう。▲２▼促音の入力は「子音」キー１１ａを二度押した後に「母音」キー１１ｂを押すことにより行なう。
　【００１３】
　▲３▼濁音，半濁音の入力は、清音を入力した状態で「特殊／濁音」キー１３ｄにより清音から濁音，半濁音への変換指示をすることで行なう。ここで、「特殊／濁音」キー１３ｄは、文字の決定待ち状態以外のときは後述の特殊機能キーとして動作し、文字の決定待ち状態のときは、濁音，半濁音への変換キーとして動作し、一度押すと濁音、二度押すと半濁音、更に押すと再び元の文字に戻るローテーション形式になっている。
　▲４▼拗音（濁音，半濁音混じりの拗音を除く）の入力は、「子音」キー１１ａの押下，続いて小文字の部分を「子音」キー１１ａと「母音」キー１１ｂの押下することにより行ない、濁音，半濁音混じりの拗音の場合は、「特殊／濁音」キー１３ｄにより清音から濁音，半濁音への変換指示をすることで行なう。例えば、“きゃ”の入力は“ＫＹＡ”、“ぎゃ”の入力は“ＫＹＡ”と入力後「特殊／濁音」キー１３ｄを押下して行なう。
　【００１４】
　上記のキー操作により入力された文は、「変換」キー１３ａを押すことにより日本語処理装置本体側によって漢字に変換され、更に押すごとに同音語の漢字が表示部に表示され、所望の変換がされた時点で「確定／改行」キー１３ｂを押して確定される。なお、文字が入力されていない状態で「確定／改行」キー１３ｂを押すと改行とみなされ、改行される。このように、「特殊／濁音」キー１３ｄと「確定／改行」キー１３ｂはキーが共用され、入力状態によってそれぞれの機能が実行されるようになっている。また、句読点の入力を指示する「ＰＤ」キー１２ｂは、一度押すと読点“、”に、二度押すと句点“。”になるようにすることによって、濁音，半濁音の変換と同様に、少ない操作キーで簡単に入力ができるようになっている。
　【００１５】
　次に、特殊機能について説明する。本発明の日本語入力装置では、操作キーの数が少ないことを１つの特徴としており、使用頻度が少ない編集機能などは、「特殊／濁音」キー１３ｄの押下により表示されたメニュー画面の中から、該当の機能を操作者が選択して実行するようにしている。例えば、挿入モードと上書きモードとの変更，ひらがなシフトとカタカナシフトとの変更，文字や文章の編集，文字の拡大，罫線などの各種の機能をメニュー表示し、カーソル移動指示手段１４を用いて実行したい特殊機能を一覧の中から選択して「ＲＥＴＵＲＮ」キー１３ｂで実行する。これらの制御は日本語処理装置本体側で行なわれ、オプション用のキー１３ｅ，１３ｆを一部の特殊機能の選択操作キーとして使用するようにしても良い。ここで、表示装置上に表示されたカーソルの移動指示をするカーソル移動指示手段１４は、“マイクロトラックボール”が用いられ、操作者の操作方向と操作速度に応じて画面上のカーソルの移動方向及び移動速度が指示でき、円滑にカーソル移動が行なえるようになっている。
　【００１６】
　図２は、本発明の日本語入力装置における操作部の構成の第２の例を示す平面図であり、カーソル移動指示手段１４に“十字キー”を用い、各「子音」キー１１ａと「母音」キー１１ｂ上の文字を“ひらがな”（同図、「か」〜「わ」，「あ」〜「お」）とし、また、オプション用キー１３ｅを「仮確定」キーとして用い、カタカナ入力時に必要な長音（ー）キー１３ｇを操作部上に設けた例である。第一の例では、ローマ字入力方式による日本語入力操作の例を説明したが、ここでは図２を用いて、ひらがな入力方式による５０音と促音の入力操作の例を説明する。
　【００１７】
　ひらがな入力では、例えば、た行の仮名を入力する場合は、子音キー１１ａを押下するごとに「た」→「ち」→「つ」→「っ」→「て」→「と」とサイクリックに入力候補が表示装置上に表示されようになっている。上記のように操作者が子音キー１１ａを押下する毎に子音キーに対応した行の仮名が順次巡回表示されると共に、仮名の表記に対する促音（上記の例では「つ」に対する促音「っ」）が入力候補としてその仮名の隣に配置されて順次巡回表示が成されるようになっている。促音の入力形態としては前記▲２▼の入力形態の他に、上記のように、巡回表示された促音を選択して入力する形態を併用するようにしても良い。操作者は該当候補が表示されたら「仮確定」キー１３ｅで選択する。但し、選択した仮名が前の行と異なる行であれば、「仮確定」キー１３ｅの操作は省略できる。例えば“切手”という漢字を入力したい場合、「か」を２回、（「仮確定」）、「た」を４回、「仮確定」、「た」を５回押した後、「変換」キー１３ａを押す。このような入力方法により、ひらがな入力に対しても数少ない操作キーで容易に入力することができる。なお、入力候補の表示は、ひらがなの後に続いてカタカナを表示して選択させるようにしても良い。
　【００１８】
　以上の実施例における日本語処理装置本体側での処理は、コード変換処理部やコマンド処理部での処理を一部変更すれば簡単に行なえる。そのため、本発明の日本語入力装置を、一般的な日本語処理装置の入力装置として容易に適用することができる。また、ゲーム機の本体側に漢字辞書ファイル，かな漢字変換手段，文書の管理手段等を設けることにより、ゲーム機にも適用することができる。なお、上述した実施例では、各子音キーと各母音キーが、それぞれ５０音図の行順及び段順に上段と下段に配列されている例を示したが、操作部の左側と右側にそれぞれのキーが５０音図の行順及び段順に配列されるようにしても良い。
　【００１９】
　【発明の効果】
　以上のように本発明によれば、５０音を入力するための操作キーの構成を、５０音図のカ行からワ行までのア段の子音をそれぞれ示す各子音キーと、母音を示す各母音キーとで構成するようにしたので、操作キーの数を非常に少なくすることができる。また、各子音キー及び各母音キーは、それぞれ５０音図の行順及び段順に配列されているので、操作キーの位置が分かりやすい。そのため、不慣れな操作者でもキーの位置を探さずに済むようになり、誰しもが容易に５０音を入力できるようになる。さらに、カーソル移動指示手段としてトラックボールを用いているので、カーソルの移動方向及び移動速度の指示が円滑に行なえるようになる。また、子音キーが押下される毎にその子音キーに対応した行の仮名が表示画面に順次巡回表示されるようにしているので、キーに存在しない仮名も表示画面を見ながら容易に選択して入力することができる。したがって、誰しもが簡単かつ効率よく日本語入力ができると共に、入力装置を小型化できるので、ゲーム機の入力装置のような小さな子供も扱う入力装置としてばかりでなく、一般的な入力装置として幅広く使用することができる。
【図面の簡単な説明】
　【図１】　本発明の日本語入力装置における操作部の構成の第１の例を示す平面図である。
　【図２】　本発明装置における操作部の構成の第２の例を示す平面図である。
　【図３】　一般的な日本語入力装置及びゲーム機用入力装置おける操作部の構成例を示す平面図である。
　【符号の説明】
　１０　操作部
　１１　５０音入力部
　１１ａ　各子音キー
　１１ｂ　母音キー
　１４　カーソル移動指示手段